(57)【要約】【課題】本発明は、既存躯体の地上地下同時解体工法に関し、従来の既存躯体の解体工法において、工期が長く掛かるのが課題であって、それを解決することである。【解決手段】地下躯体を有する既存躯体の解体工法であって、前記既存躯体に解体する最上階から最深部の地下階に連通して到るガラ投入用貫通路を形成し、前記既存躯体の地上部分を前記最上階から解体してその解体したガラを前記ガラ投入用貫通路によって地下部分に投下しながら、地上１階のスラブにおけるガラ投入用開口部以外の部分を残すとともに、地下柱のうち山留めに必要な地下柱を残して他の地下躯体を解体し、解体期間の一部において地上部分と地下部分とを同時に解体することとした既存躯体の地上地下同時解体工法である。【選択図】図１
2012162959.tif 000002
【特許請求の範囲】
【請求項１】
地下躯体を有する既存躯体の解体工法であって、前記既存躯体に解体する最上階から最深部の地下階に連通して到るガラ投入用貫通路を形成し、前記既存躯体の地上部分を前記最上階から解体してその解体したガラを前記ガラ投入用貫通路によって地下部分に投下しながら、地上１階のスラブにおけるガラ投入用開口部以外の部分を残すとともに、地下柱のうち山留めに必要な地下柱を残して他の地下躯体を解体し、解体期間の一部において地上部分と地下部分とを同時に解体すること、
を特徴とする既存躯体の地上地下同時解体工法。
【請求項２】
ガラ投入用貫通路は、各階にてガラの飛散を防止するように養生材で養生されているとともに、少なくとも地上１階と地上２階とのガラ投入用貫通路の側壁対応部分を騒音防止用に騒音防止部材で養生されていること、
を特徴とする請求項１に記載の既存躯体の地上地下同時解体工法。
【請求項３】
ガラ投入用貫通路は、各階においてガラ投入用貫通路の側壁対応部分を養生した後に天井スラブを解体することを、下の階から上の階へと繰り返していくことで形成されること、
を特徴とする請求項１または２に記載の既存躯体の地上地下同時解体工法。
【請求項４】
地下部分に投入されたガラの一部は、地下部分の埋戻し用の土砂として使用されること、
を特徴とする請求項１乃至３のいずれかに記載の既存躯体の地上地下同時解体工法。
【請求項５】
ガラは、地下部分の埋戻し用の土砂として使用できる大きさに小割にされること、
を特徴とする請求項４に記載の既存躯体の地上地下同時解体工法。
【請求項６】
地上１階のスラブを解体できる位置まで地下部分を埋戻した後、解体装置で地上１階のスラブを解体すること、
を特徴とする請求項１乃至５のいずれかに記載の既存躯体の地上地下同時解体工法。
【発明の詳細な説明】
【技術分野】
【０００１】
本発明は、中高層の既存躯体を解体する工法に係り、更に詳しくは地下躯体を有するコンクリート構造物の地上・地下を一部解体期間において同時解体する工法に関するものである。
【背景技術】
【０００２】
従来、既存の建物の解体工事は、図７（Ａ），（Ｂ）に示すように、基本的に重機を最上階に揚重して最上階より地上躯体を解体し、地上解体の完了後に地下柱や梁フレームを残しながら地下躯体を解体し、地下をグランドラインまで埋戻しを行い、新築工事に着手すると言う手順が知られている（特許文献１参照）。また、地上の解体工事において、昇降可能な養生足場で解体作業に必要な複数回階を囲って、高層建物の上層階から下層階へ順次解体しながら前記養生足場を降下させ、作業性や安全性を高めて解体作業する工法が知られている（特許文献２参照）。
【先行技術文献】
【特許文献】
【０００３】
【特許文献１】特開２０１０−１８９９６０号公報
【特許文献２】特開２００７−２６２６８７号公報
【発明の概要】
【発明が解決しようとする課題】
【０００４】
しかし、従来の既存躯体の解体工法では、地上の躯体を解体してから地下の躯体を解体するので、図８に示すように工期が長くなる。また、山留めとしての地下躯体残置フレームの検討が必要となる。地下解体時には上部が青天井となるので解体工事中の振動・騒音により周辺環境に影響を与える。既存山留めの変形を抑制するため補強壁の構築が必要となることがあり、その既存山留めの経時計測管理が必要となって、コストが嵩む。本発明に係る既存躯体の地上地下同時解体工法は、このような課題を解決するために提案されたものである。
【課題を解決するための手段】
【０００５】
本発明に係る既存躯体の地上地下同時解体工法の上記課題を解決して目的を達成するための要旨は、地下躯体を有する既存躯体の解体工法であって、前記既存躯体に解体する最上階から最深部の地下階に連通して到るガラ投入用貫通路を形成し、前記既存躯体の地上部分を前記最上階から解体してその解体したガラを前記ガラ投入用貫通路によって地下部分に投下しながら、地上１階のスラブにおけるガラ投入用開口部以外の部分を残すとともに、地下柱のうち山留めに必要な地下柱を残して他の地下躯体を解体し、解体期間の一部において地上部分と地下部分とを同時に解体することである。
【０００６】
ガラ投入用貫通路は、各階にてガラの飛散を防止するように養生材で養生されているとともに、少なくとも地上１階と地上２階とのガラ投入用貫通路の側壁対応部分を騒音防止用に騒音防止部材で養生されていること、；
ガラ投入用貫通路は、各階においてガラ投入用貫通路の側壁対応部分を養生した後に天井スラブを解体することを、下の階から上の階へと繰り返していくことで形成されること、；
前記地下部分に投入されたガラの一部は、地下部分の埋戻し用の土砂として使用されること、；
前記ガラは、地下部分の埋戻し用の土砂として使用できる大きさに小割にされること、；
更に、地上１階のスラブを解体できる位置まで地下部分を埋戻した後、解体装置で地上１階のスラブを解体することを含むものである。
【発明の効果】
【０００７】
本発明の既存躯体の地上地下同時解体工法によれば、地上解体と地下解体及び埋戻しが同時に並行して作業できるので、解体工事の全体工期を短縮できる。
また、解体工事中において、既存躯体の地上１階スラブを残置させて解体するので、地下解体時の粉塵・騒音が低減されるとともに、既存外壁の頭部変形の抑制となる。更に、既存の地上１階スラブが残置されるので、既存山留め頭部の計測が不要となるとともに、山留めに必要な残置フレームも低減できて施工性が向上する。
既存躯体の頭部が全ての面に対して拘束されているので、既存躯体の解析が不要となる。既存の地上１階のスラブは、埋戻しの上で重機により解体されるので、解体作業の安全性が向上する、と言う優れた効果を奏するものである。
【図面の簡単な説明】
【０００８】
【図１】本発明に係る既存躯体の地上地下同時解体工において、最上階に重機を揚重してガラを地下部分に投入している様子を示す縦断面図である。
【図２】同本発明の既存躯体の地上地下同時解体工法において、地上の中層階の解体をするとともに、地下部分に投入されたガラを小割にして、地下躯体の不要な部分を解体している様子を示す縦断面図である。
【図３】同本発明の既存躯体の地上地下同時解体工法において、地上の低層階の解体をするとともに、地下部分に投入されたガラを埋戻している様子を示す縦断面図である。
【図４】同本発明の既存躯体の地上地下同時解体工法において、地下部分を埋戻して、重機で地上１階のスラブを解体している様子を示す縦断面図である。
【図５】同本発明の既存躯体の地上地下同時解体工法における既存躯体の平面図である。
【図６】同本発明の既存躯体の地上地下同時解体工法における工期を示す表の図である。
【図７】従来例に係る既存躯体の解体工法を説明する地上部分の解体を示す縦断面図（Ａ）と、地下部分の解体を示す縦断断面図（Ｂ）とである。
【図８】同従来例に係る既存躯体の解体工法における工期を示す表の図である。
【発明を実施するための形態】
【０００９】
本発明に係る既存躯体の地上地下同時解体工法は、図１〜図４に示すように、解体予定の最上階から地下部分に連通するガラ投入用貫通路を形成して、地下部分にガラを投入し、地下部分を解体するとともに前記ガラの一部で地下部分を埋戻していくものである。また、地上１階のスラブは、地上部分の解体が終わるまで残置させておくものである。
【実施例１】
【００１０】
本発明に係る地下躯体を有する既存躯体の解体工法は、以下のようにして行うものである。まず、図１に示すように、解体する既存躯体１に対して、躯体の外周部に養生枠１ａ，１ｂを設ける。前記養生枠１ａは、区損躯体の外周壁面に設けたガイドレール等（図示せず）に沿って昇降自在に駆動装置で上下するものであり、一例として４階層分の高さがある。また、前記養生枠１ｂは、地上から４階層分を養生している。なお、図示の例に限らず、既存躯体１の地上部分全部を予め養生枠（図示せず）で囲繞するように形成しても良い。
【００１１】
次に、前記既存躯体１における解体する最上階２から最深部の地下階３に連通して到るガラ投入用貫通路４を形成する。このガラ投入用貫通路４を形成するには、例えば、下の階から上の階へとガラ投入用貫通路の側壁対応部分を養生をた後に、天井スラブを解体していくことを繰り返して形成されるものである。即ち、図１に示すように、地下躯体が地下２階まであれば、その最深部の地下２階において、ガラ投入用貫通路の予定部分の床から天井まで養生材で養生する。そして、地下２階における天井スラブを破砕機で破砕して、上下に連通させて開口させる。この天井スラブの破砕されたガラは地下２階に溜まる。
【００１２】
更に、地下１階部分で養生材で床から天井まで養生材で養生する。そして、天井スラブを破砕して開口させる。ガラは地下２階に落下して溜まる。これを最上階の天井スラブを開口させるまで繰り返す。このように、ガラ投入用貫通路４は、ガラ投入用貫通路の側壁対応部分を各階において養生した後に、天井スラブを解体することを下の階から上の階へと繰り返していくことで形成されるものである。
【００１３】
なお、他の実施例として、先に養生材でガラ投入用貫通路の養生だけを先に各階毎に全部形成して、各階の天井スラブをその後に破砕機で破砕して、上下方向に連通させて開口させるようにしても良い。
【００１４】
また、前記ガラ投入用貫通路４は、各階にてガラの飛散を防止するように養生材で養生されているとともに、少なくとも地上１階と地上２階とのガラ投入用貫通路４の側壁対応部分を、騒音防止用に騒音防止部材で養生されている。
【００１５】
次に、図１乃至図２に示すように、解体重機５を移動式クレーンで最上階に揚重する。そして、既存躯体を前記解体重機５で解体して、そのガラ６を前記ガラ投入用貫通路４を介して、直接、地下部分（図示の場合は、地下２階）に投下する。この際のガラの落下による騒音は、少なくとも地上１階と地上２階とには、騒音防止用に騒音防止部材で養生されているので、近隣への影響は少ない。
【００１６】
この解体工事とともに、地上１階部分では、解体した内装材を搬出する。また、地下部分では、落下したガラ６を、地下部分の埋戻し用の土砂として使用できる大きさに小割にされる、例えば、０〜４０ｍｍまでの大きさに、ガラ用粉砕機で小割りする。これは、後の新築工事の際にケーシング付きドリルによって孔を明けやすくするものである。そして、地上までのスロープを前記小割りされたガラ６ａによって形成する。
【００１７】
前記小割にされたガラ６ａは、主に外に搬出され、一部は、地下外周壁の内側にバットレスに使用する。これにより、既存躯体１の地下外周壁をそのまま利用したものである山留め壁の崩落を防止する補強材になる。前記スロープは重機などの搬入出を容易にする。なお、解体工事の進捗により、養生枠１ａは、既存躯体１の外周部に設けられるガイド枠（図示せず）に沿って昇降駆動装置により漸次降下していくものである。
【００１８】
図３に示すように、解体重機５で既存躯体１の中層部を解体して、そのガラ６はガラ投入用貫通路４から地下部分に投下する。地下部分では、地上１階の梁スラブ１ｃおよび山留めに必要な地下柱７を残置させて、他の解体可能な地下柱７ａ，スラブ等を解体し、その解体したスクラップを解体して地上１階から外へ搬出する。こうして、地上・地下部分で解体工事が同時進行する。
【００１９】
前記地上１階においては、地上部分の解体工事中において、梁スラブ１ｃにおけるガラ投入用開口部４以外の部分を残す。これにより、既存躯体１の地下部分の外周壁１ｄを山留め壁として利用し、その強度を前記地上１階の梁スラブ１ｃで補強するものである。なお、中層階若しくは低層階の解体工事から、解体したガラ６を小割のガラ６ａにして外に搬出するか、地下部分の埋戻しに一部を利用するかを予め計算しておく。
【００２０】
図４に示すように、既存躯体１の低層部を解体して、地上１階からスクラップを搬出するとともに、地下部分に地上から小割りされたガラ６ａを埋戻していく。埋戻しのガラ６ａは、地上に搬出したガラ６ａだけに限らす、上階からガラ投入用貫通路４で落下したガラ６を小割にしたガラ６ａをそのまま所要の位置に運んで埋戻しにしてもよい。
【００２１】
そして、図５に示すように、地上１階の梁スラブ１ｃを解体できる位置まで、例えば、地表位置から−３．０ｍ位にして、地下部分を埋戻した後、重機５で地上１階の梁スラブ１ｃを解体する。この解体作業は、埋戻した地盤上で行うので、安全に解体することができる。
【００２２】
図６に示すように、解体期間の一部において地上部分と地下部分とを同時に解体する、本願発明者が称する逆（さか）解体工法によって、例えば、全解体期間１５ヶ月を１２ヶ月に短縮して、３月程度の工期短縮を図ることができる。
【実施例２】
【００２３】
既存躯体１の中央部にエレベータシャフトがある場合には、そのエレベータシャフトをガラ投入用貫通路４の代わりとしても良く、その場合には、ガラ投入用貫通路４の形成期間が短縮されて、全体として更なる工期短縮が見込めることになる。なお、前記ガラ投入用貫通路４は、必ずしも既存躯体の中央に位置していなければならないという訳ではない。また、大規模な既存躯体１であれば、ガラ投入用貫通路４は、複数個設けられることもある。
【産業上の利用可能性】
【００２４】
既存躯体の地上地下同時解体工法は、鉄筋コンクリート造、鉄骨鉄筋コンクリート造の中高層建物に適用することができる。
【符号の説明】
【００２５】
１          既存躯体、                １ａ，１ｂ      養生枠、
１ｃ        １階梁フラブ、            １ｄ            外周壁、
２          最上階、
３          地下階、
４          ガラ投入用貫通路、
５          階値重機、
６          ガラ、                      ６ａ          小割にされたガラ、
７          地下柱。
【図１】
2012162959.tif 000003
【図２】
2012162959.tif 000004
【図３】
2012162959.tif 000005
【図４】
2012162959.tif 000006
【図５】
2012162959.tif 000007
【図６】
2012162959.tif 000008
【図７】
2012162959.tif 000009
【図８】
2012162959.tif 000010